(57)【要約】【課題】入力された映像信号のフォーマットの誤判定を防止できる信号判定装置を提供する。【解決手段】  信号判定装置１０は、複数の映像信号それぞれのフォーマットを特定するための、少なくとも３つのパラメータの数値が格納された記憶部１０ｂと、入力された映像信号の前記少なくとも３つのパラメータの数値と、記憶部１０ｂに格納された前記少なくとも３つのパラメータの数値とに基づいて、入力された映像信号のフォーマットを判定する判定手段と、を備えている。この場合、入力された映像信号のフォーマットの誤判定を防止できる。【選択図】図１５
2015026912.tif 000002
【特許請求の範囲】
【請求項１】
入力された映像信号のフォーマットを判定する信号判定装置であって、
複数の映像信号それぞれのフォーマットを特定するための、少なくとも３つのパラメータの数値が格納された記憶部と、
前記入力された映像信号の前記少なくとも３つのパラメータの数値と、前記記憶部に格納された前記少なくとも３つのパラメータの数値とに基づいて、前記入力された映像信号のフォーマットを判定する判定手段と、を備える信号判定装置。
【請求項２】
前記判定手段は、
前記入力された映像信号の前記少なくとも３つのパラメータのうち少なくとも２つのパラメータの数値と、前記記憶部に格納された、前記複数の映像信号のうち少なくとも２つの映像信号に共通する、対応する少なくとも２つのパラメータの数値とが一致するとき、前記入力された映像信号のフォーマットは、前記少なくとも２つの映像信号のフォーマットに含まれていると判定する第１の判定部と、
前記入力された映像信号の前記少なくとも３つのパラメータのうち少なくとも１つの別のパラメータの数値と、前記記憶部に格納された対応する少なくとも１つの別のパラメータの数値とに基づいて、前記入力された映像信号のフォーマットが前記少なくとも２つの映像信号のいずれのフォーマットであるかを判定する第２の判定部と、を有することを特徴とする請求項１に記載の信号判定装置。
【請求項３】
前記判定手段は、
前記入力された映像信号の前記少なくとも３つのパラメータのうち少なくとも２つのパラメータの数値と、前記記憶部に格納された、前記複数の映像信号のうち少なくとも２つの映像信号に共通する、対応する少なくとも２つのパラメータの数値とが一致するとき、前記入力された映像信号のフォーマットは、前記少なくとも２つの映像信号のうち一の映像信号のフォーマットであると推定する推定部と、
前記入力された映像信号の前記少なくとも３つのパラメータのうち少なくとも１つの別のパラメータの数値と、前記記憶部に格納された、前記一の映像信号を特定するための、対応する少なくとも１つの別のパラメータの数値とが一致するとき、前記入力された映像信号のフォーマットは、前記一の映像信号のフォーマットであると判定する判定部と、を有することを特徴とする請求項１に記載の信号判定装置。
【請求項４】
前記判定部は、前記入力された映像信号の前記少なくとも３つのパラメータのうち少なくとも１つの別のパラメータの数値と、前記記憶部に格納された、前記少なくとも２つの映像信号のうち他の映像信号のフォーマットを特定するための、対応する少なくとも１つの別のパラメータの数値とが一致するとき、前記入力された映像信号のフォーマットは、前記他の映像信号のフォーマットであると判定することを特徴とする請求項３に記載の信号判定装置。
【請求項５】
前記少なくとも３つのパラメータは、水平解像度、垂直解像度、垂直同期周波数、水平同期周波数、クロック周波数、垂直ライン数、水平画素数、信号生成時間のうち、少なくとも３つを含むことを特徴とする請求項１〜４のいずれか一項に記載の信号判定装置。
【請求項６】
映像データ出力機器からの映像信号が入力される請求項１〜５のいずれか一項に記載の信号判定装置と、
前記信号判定装置でフォーマットが判定された前記映像信号に基づいて変調された光を被投射面に投射する投射部と、を備える光投射装置。
【請求項７】
映像データ出力機器から出力された映像信号のフォーマットを判定する信号判定方法であって、
複数の映像信号それぞれのフォーマットを特定するための、少なくとも３つのパラメータの数値を記憶媒体に格納するステップと、
前記出力された映像信号の前記少なくとも３つのパラメータの数値と、前記記憶媒体に格納された前記少なくとも３つのパラメータの数値とに基づいて、前記出力された映像信号のフォーマットを判定するステップと、を含む信号判定方法。
【請求項８】
前記判定するステップは、
前記出力された映像信号の前記少なくとも３つのパラメータのうち少なくとも２つのパラメータの数値と、前記記憶媒体に格納された、前記複数の映像信号のうち少なくとも２つの映像信号に共通する、対応する少なくとも２つのパラメータの数値とが一致するとき、前記出力された映像信号のフォーマットは、前記少なくとも２つの映像信号のフォーマットに含まれていると判定するサブステップと、
前記入力された映像信号の前記少なくとも３つのパラメータのうち少なくとも１つの別のパラメータの数値と、前記記憶媒体に格納された対応する少なくとも１つの別のパラメータの数値とに基づいて、前記入力された映像信号のフォーマットが前記少なくとも２つの映像信号のフォーマットのいずれであるかを判定するサブステップと、を含むことを特徴とする請求項７に記載の信号判定方法。
【請求項９】
前記判定するステップは、
前記出力された映像信号の前記少なくとも３つのパラメータのうち少なくとも２つのパラメータの数値と、前記記憶媒体に格納された、前記複数の映像信号のうち少なくとも２つの映像信号に共通する、対応する少なくとも２つのパラメータの数値とが一致するとき、前記出力された映像信号のフォーマットは、前記少なくとも２つの映像信号のうち一の映像信号のフォーマットであると推定するサブステップと、
前記出力された映像信号の前記少なくとも３つのパラメータのうち少なくとも１つの別のパラメータの数値と、前記記憶媒体に格納された、前記一の映像信号を特定するための、対応する少なくとも１つの別のパラメータの数値とが一致するとき、前記出力された映像信号のフォーマットは、前記一の映像信号であると判定するサブステップと、を含むことを特徴とする請求項７に記載の信号判定方法。
【請求項１０】
前記判定するサブステップは、前記出力された映像信号の前記少なくとも３つのパラメータのうち少なくとも１つの別のパラメータの数値と、前記記憶媒体に格納された、前記少なくとも２つの映像信号のうち他の映像信号を特定するための、対応する少なくとも１つの別のパラメータの数値とが一致するとき、前記出力された映像信号のフォーマットは、前記他の映像信号のフォーマットであると判定することを特徴とする請求項９に記載の信号判定方法。
【発明の詳細な説明】
【技術分野】
【０００１】
本発明は、信号判定装置、光投射装置及び信号判定方法に係り、更に詳しくは、入力された映像信号のフォーマットを判定する信号判定装置、該信号判定装置を備える光投射装置、及び映像データ出力機器から出力された映像信号のフォーマットを判定する信号判定方法に関する。
【背景技術】
【０００２】
従来、更新可能な判定条件データに基づき、入力信号のフォーマットを判定する技術が知られている（例えば特許文献１参照）。
【発明の概要】
【発明が解決しようとする課題】
【０００３】
しかしながら、特許文献１に開示されている技術では、入力信号のフォーマットを誤判定することがあった。
【課題を解決するための手段】
【０００４】
本発明は、入力された映像信号のフォーマットを判定する信号判定装置であって、複数の映像信号それぞれのフォーマットを特定するための、少なくとも３つのパラメータの数値が格納された記憶部と、前記入力された映像信号の前記少なくとも３つのパラメータの数値と、前記記憶部に格納された前記少なくとも３つのパラメータの数値とに基づいて、前記入力された映像信号のフォーマットを判定する判定手段と、を備える信号判定装置である。
【発明の効果】
【０００５】
本発明によれば、入力された映像信号のフォーマットを誤判定することを防止できる。
【図面の簡単な説明】
【０００６】
【図１】第１の実施形態のプロジェクタの使用態様を示す斜視図である。
【図２】プロジェクタの光学エンジン部及び光源装置を示す斜視図である。
【図３】光学エンジン部を示す斜視図である。
【図４】プロジェクタの照明光学部及び画像処理部を示す斜視図である。
【図５】画像処理部を示す斜視図である。
【図６】プロジェクタの投射光学部を示す斜視図である。
【図７】投射光学部を示す斜視図である。
【図８】投射光学部を示す側面図である。
【図９】プロジェクタからの投影画像を示す図である。
【図１０】映像信号を誤判定したプロジェクタからの投影画像に発生する異常について説明するための図である。
【図１１】映像信号について説明するための図である。
【図１２】互いに誤判定され易い２つの映像信号を複数のパラメータにて示す図である。
【図１３】映像信号を誤判定する原因について説明するための図（その１）である。
【図１４】映像信号を誤判定する原因について説明するための図（その２）である。
【図１５】プロジェクタが有する信号判定装置の制御の構成を示すブロック図である。
【図１６】信号判定装置における制御を説明するためのフローチャートである。
【図１７】第２の実施形態の信号判定装置の制御の構成を示すブロック図である。
【図１８】第２の実施形態の信号判定装置における制御を説明するためのフローチャートである。
【図１９】第３の実施形態の信号判定装置の制御の構成を示すブロック図である。
【図２０】第３の実施形態の信号判定装置における制御を説明するためのフローチャートである。
【発明を実施するための形態】
【０００７】
《第１の実施形態》
以下、図面を参照して本発明の第１の実施形態を説明する。図１は、本実施形態に係る光投射装置としてのプロジェクタ１を斜めから見て示した外観斜視図である。プロジェクタ１は、例えばパソコン、ビデオカメラ、ＤＶＤプレーヤー、ブルーレイプレーヤー、タブレット端末、ＵＳＢメモリ等の映像データ出力機器Ｒ（図１５参照）から出力される映像データに基づいて映像を生成し、その映像を例えばスクリーン２等に投影して表示する。
【０００８】
プロジェクタとして広く知られた液晶プロジェクタは、近来、液晶パネルの高解像化、光源ランプの高効率化に伴う明るさの改善、低価格化などが進んでいる。また、ＤＭＤ（Ｄｉｇｉｔａｌ  Ｍｉｃｒｏ−ｍｉｒｒｏｒ  Ｄｅｖｉｃｅ）を利用した小型軽量なプロジェクタが普及し、オフィスや学校のみならず家庭においても広くこれらプロジェクタが利用されるようになってきている。特に、フロントタイプのプロジェクタは携帯性が向上し、数人規模の小会議にも使われるようになってきている。
【０００９】
図２は、図１におけるプロジェクタ１の外層カバー３を取りはずした状態を示す斜視図である。図２に示されるように、プロジェクタ１は、光源装置２０、光学エンジン部３０、信号判定装置１０（図１５参照）などを備えている。以下では、図１等に示される＋Ｚ方向を鉛直方向上向きとして説明する。
【００１０】
光源装置２０は、光源２１を制御して、画像の投射に必要な光（例えば白色光）を光学エンジン部３０へ供給する。光源装置２０は、光源２１に加えて、該光源２１を保持する保持部材である光源ブラケット２２を有している。光源２１としては、例えばハロゲンランプ、メタルハライドランプ、高圧水銀ランプ、レーザなどが用いられる。
【００１１】
また、光源ブラケット２２における光源２１の光出射側には、不図示のリフレクタなどを保持するホルダ２４がネジ止めされている。ホルダ２４の光源２１配置側と反対側の面には、出射窓２３（図３参照）が設けられている。光源２１から出射した光は、ホルダ２４に保持された上記リフレクタにより出射窓２３に集光され、出射窓２３から出射する。
【００１２】
また、ホルダ２４の一側面には、光源２１を冷却するための空気が流入する光源給気口２４ｂが設けられており、ホルダ２４の上側の面には、光源２１の熱により加熱された空気が排気される光源排気口２４ｃが設けられている。
【００１３】
光学エンジン部３０は、光源装置２０から供給された光を用いて、入力された画像データを処理して投射する制御を行う。図３は、光学エンジン部３０の詳細な構成を示す斜視図である。光学エンジン部３０は、照明光学部３１、投射光学部３３、及び画像処理部３２を備えている。上述した光源装置２０からの白色光は、まず照明光学部３１に照射される。照明光学部３１は、光源装置２０からの白色光をＲＧＢのそれぞれの成分へと分光し、画像処理部３２へと導光する。画像処理部３２は、変調信号に応じて画像形成を行う。投射光学部３３は、画像処理部３２で生成された画像を拡大投射する。
【００１４】
図４は、照明光学部３１と画像処理部３２の配置構成図である。照明光学部３１は、カラーホイル３８、ライトトンネル３７、リレーレンズ３６、シリンダミラー３５、凹面ミラー３４を備えている。カラーホイル３８は、円盤状のカラーフィルタにより上記光源装置２０から出射した白色光を単位時間毎にＲＧＢの各色が繰り返す光に変換して出射する。ライトトンネル３７は、板ガラスを張り合わせて筒状に構成されており、カラーホイル３８から出射する光を導く。リレーレンズ３６は、２枚のレンズを組み合わせて構成されており、ライトトンネル３７より出射される光の軸上色収差を補正しつつ集光する。
【００１５】
シリンダミラー３５、および凹面ミラー３４は、リレーレンズ３６より出射される光を反射する。反射された光は、画像処理部３２へと入射される。画像処理部３２は、複数のマイクロミラーからなる略矩形のミラー面を有し、映像データに基づいて各マイクロミラーが時分割駆動されることにより、所定の映像を形成するように投射光を加工して反射するＤＭＤ素子を備えている。そして、画像処理部３２において、ＤＭＤ素子により時分割で映像データに基づいて複数のマイクロミラーが使用する光は図４中で矢印Ｂで示される投射レンズ５１（図６参照）の方向へ反射し、捨てる光は図４中で矢印Ｃで示されるＯＦＦ光板へと反射される。
【００１６】
図５は画像処理部３２の構成を示す斜視図である。画像処理部３２はＤＭＤ素子４１とＤＭＤ素子４１を制御するＤＭＤプリント基板４２とＤＭＤ素子４１を冷却するヒートシンク４３とヒートシンク４３をＤＭＤ素子４１に押し付ける固定板４４とを備える。ヒートシンク４３は、冷却対象のＤＭＤ素子４１と接触することで、ＤＭＤ素子４１の熱を放熱する。また、図６は、投射光学部３３の詳細な構成を示す斜視図である。画像処理部３２を通過した光は図６の投射レンズ５１へ反射され、捨てられる光は図６のＯＦＦ光板５３へと反射される。
【００１７】
図７と、図８は、投射光学部３３の構成を示す斜視図、および側面図である。投射レンズ５１を通過し、拡大された映像光は折り返しミラー５４によって光路が折り返され、自由曲面ミラー５５によってスクリーン２上へ拡大投影される。以上の構成によって、光学エンジン部３０はスクリーン２に近接して配置でき、縦型で設置面積が小さく、立体的にコンパクトに設計することができる。
【００１８】
ここで、プロジェクタ１に接続された映像データ出力機器Ｒから、映像データが１フレーム毎に電気信号化された映像信号として出力され、プロジェクタ１に入力される。
【００１９】
プロジェクタ１の画像処理部３２は、入力された映像信号に基づいて変調信号を生成し、生成された変調信号に応じてＤＭＤ素子４１を制御して、光によりスクリーン２を垂直方向（ここではＺ軸方向）に低速で走査しつつ水平方向に高速で往復走査することで、スクリーン２に映像を投影する。
【００２０】
この場合、プロジェクタ１において、スクリーン２上に正常に投影される映像を生成するためには、該映像信号のフォーマットを正確に（精度良く）判定する必要がある。
【００２１】
映像信号のフォーマットを誤判定すると、スクリーン２上において、投影画像全体に対する実質的に視認可能な部分（図９に示されるグレーの領域であるアクティブ領域）の割合が正常値からずれたり、該アクティブ領域の投影画像全体に対する位置がずれたり、該アクティブ領域における縦横の拡大倍率が正常値からずれたりする等の異常が発生してしまう。すなわち、映像信号のフォーマットの誤判定には、解像度の誤判定、映像範囲の誤判定等がある。
【００２２】
具体的には、映像信号のフォーマットを誤判定すると、例えば、図１０に示されるように、本来符号Ｐが付された正常な「あ」のように投影されるべきところ、符号Ｐ´又は符号Ｐ´´が付された異常な「あ」のように投影されてしまう。すなわち、アクティブ領域の一部が欠落したり、アクティブ領域の形が歪になったりしてしまう。
【００２３】
ここで、映像信号は、一例として、図１１に示されるように、水平方向（Ｈ方向）及び垂直方向（Ｖ方向）に時系列でマトリクス状に配列される複数の画素単位の信号を含んで構成される。換言すると、映像信号は、水平方向に時系列で並べて形成される複数の画素単位の信号をそれぞれが有し、垂直方向に時系列で並べて形成される複数のラインを含む。すなわち、ここでの映像信号は、アナログ信号である。
【００２４】
ところで、複数の映像信号それぞれのフォーマットは、複数のパラメータの数値によって特定されるところ、発明者らの調査により、従来の信号判定用のＩＣチップでは、２つのパラメータの数値が共通する複数の映像信号のフォーマットを区別して判定できないことがあることが分かった。
【００２５】
上記複数のパラメータとしては、例えば、垂直解像度（垂直方向単位長さ当たりのライン数）、水平解像度（水平方向単位長さ当たりの画素単位の信号数）、垂直同期周波数（単位時間にフレームを書き換える回数）、水平同期周波数（単位時間に生成されるライン数）、垂直ライン数（垂直方向に並ぶラインの数）、水平画素数（各ラインの画素単位の信号の数）、信号生成時間（映像データから１つの映像信号が生成されるのに要する時間、すなわちフレームを書き換えるのに要する時間）等がある。
【００２６】
そこで、発明者らは、特に、従来の信号判定用のＩＣチップでは、図１２に示されるように、垂直解像度の数値及び垂直同期周波数の数値がいずれも共通し（等しく）、かつ水平解像度の数値が異なる複数の映像信号（例えば映像信号α及びβ）のフォーマットは、区別し難く、互いに誤判定され易いことを突き止めた。そして、この場合、図１４に示されるように、該複数の映像信号（例えば映像信号α及びβ）の信号生成時間も等しいため、より一層誤判定され易いことが分かっている。
【００２７】
また、発明者らは、図１３に示されるように、垂直ライン数の数値、垂直同期周波数の数値がいずれも共通し（等しく）、かつ水平画素数が異なる複数の映像信号（例えば映像信号α及びβ）のフォーマットは、互いに誤判定され易いことを突き止めた。そして、この場合、図１４に示されるように、該複数の映像信号（例えば映像信号α及びβ）の信号生成時間も等しいため、より一層誤判定され易いことが分かっている。
【００２８】
そこで、本実施形態のプロジェクタ１は、映像信号のフォーマットを正確に判定するために、前述した信号判定装置１０を備えている。
【００２９】
信号判定装置１０は、一例として、図１５に示されるように、入力部１０ａ、記憶部１０ｂ、第１の判定部１０ｃ、第２の判定部１０ｄ、出力部１０ｅなどを含む。
【００３０】
入力部１０ａは、入力側のインターフェースであり、映像データ出力機器Ｒから出力された映像信号が入力され、入力された映像信号（以下では、入力信号とも称する）を第１の判定部１０ｃに送る。
【００３１】
記憶部１０ｂには、複数（例えば４つ）の映像信号（映像信号１〜４）のフォーマットを特定するための、４つのパラメータ値ａ１、ａ２、ｂ１、ｂ２が含まれるテーブルＡ、及び２つのパラメータ値ｃ１、ｃ２が含まれるテーブルＢが格納されている。なお、パラメータ値とは、パラメータの数値を意味する。
【００３２】
記憶部１０ｂとしては、データ消去及びデータの書き換えが可能なメモリやディスク（記憶媒体）を用いても良いし、読取り専用のメモリやディスク（記憶媒体）を用いても良い。
【００３３】
ここでは、映像信号１は、ＶＧＡ  Ｇｒａｐｈｉｃ  ３５０Ｌｉｎｅｓ＠７０Ｈｚ（Ｍｏｄｅ６４０×３５０）とされている。映像信号２は、ＶＧＡ  Ｇｒａｐｈｉｃ  ４００Ｌｉｎｅｓ＠７０Ｈｚ（Ｍｏｄｅ６４０×４００）とされている。映像信号３は、ＶＧＡ  Ｔｅｘｔ  ３５０Ｌｉｎｅｓ＠７０Ｈｚ（Ｍｏｄｅ７２０×３５０）とされている。映像信号４は、ＶＧＡ  Ｔｅｘｔ  ４００Ｌｉｎｅｓ＠７０Ｈｚ（Ｍｏｄｅ７２０×４００）とされている。
【００３４】
そこで、パラメータ値ａ１は、映像信号１及び２の垂直解像度の数値とされ、パラメータ値ａ２は、映像信号３及び４の垂直解像度の数値とされている。また、パラメータ値ｂ１は、映像信号１及び２の垂直同期周波数の数値とされ、パラメータ値ｂ２は、映像信号３及び４の垂直同期周波数の数値とされている。また、パラメータ値ｃ１は、映像信号１及び３の水平解像度の数値とされ、パラメータ値ｃ２は、映像信号２及び４の水平解像度の数値とされている。
【００３５】
すなわち、ａ１＝３５０（ｐｐｉ）、ａ２＝４００（ｐｐｉ）、ｂ１＝７０．０７（Ｈｚ）、ｂ２＝７０．０８（Ｈｚ）、ｃ１＝６４０（ｐｐｉ）、ｃ２＝７２０（ｐｐｉ）とされている。
【００３６】
つまり、テーブルＡには、映像信号１及び２に共通するパラメータ値（ａ１、ｂ１）、並びに映像信号３及び４に共通するパラメータ値（ａ２、ｂ２）が含まれている。また、テーブルＢには、映像信号１及び３に共通するパラメータ値ｃ１、並びに映像信号２及び４に共通するパラメータ値ｃ２が含まれている。
【００３７】
第１の判定部１０ｃは、入力部１０ａから映像信号（入力信号）を受信すると、該入力信号のパラメータ値（ａ、ｂ）と、テーブルＡに含まれるパラメータ値（ａ１、ｂ１）又は（ａ２、ｂ２）とが一致するとき、該入力信号のフォーマットは、パラメータ値（ａ１、ｂ１）又は（ａ２、ｂ２）によって特定される２つの映像信号（映像信号１及び２、又は映像信号３及び４）のフォーマットに含まれると判定し、その判定結果及び入力信号を第２の判定部１０ｄに送る。なお、上記入力信号のパラメータ値ａは、該入力信号の垂直解像度であり、パラメータ値ｂは、該入力信号の垂直同期周波数である。第１の判定部１０ｃとしては、従来の信号判定用のＩＣチップを用いることもできる。なお、本明細書では、パラメータ値（ｘ、ｙ）とパラメータ値（ｘＮ、ｙＮ）とが一致するとは、ｘ＝ｘＮ、かつｙ＝ｙＮであることを意味する。
【００３８】
第２の判定部１０ｄは、第１の判定部１０ｃから該第１の判定部１０ｃでの判定結果及び入力信号を受信すると、該入力信号のパラメータ値ｃと、テーブルＢに含まれるパラメータ値ｃ１又はｃ２とが一致するとき、すなわち該入力信号のフォーマットが映像信号１及び３のフォーマット、又は映像信号２及び４のフォーマットに含まれるとき、該入力信号のフォーマットは、パラメータ値（ａ１、ｂ１）又は（ａ２、ｂ２）、並びにパラメータ値ｃ１又はｃ２によって特定される一の映像信号（映像信号１〜４のいずれか）のフォーマットであると判定し、その判定結果及び入力信号を出力部１０ｅに送る。なお、上記入力信号のパラメータ値ｃは、該入力信号の水平解像度である。第２の判定部１０ｄとしては、従来の信号判定用のＩＣチップを改良したものを用いることもできる。
【００３９】
結果として、第１及び第２の判定部１０ｃ、１０ｄを含んで構成される判定手段によって、入力信号の３つのパラメータの数値と、記憶部１０ｂに格納された３つのパラメータの数値とに基づいて、該入力信号のフォーマットが判定される。より詳細には、該判定手段によって、入力信号の３つのパラメータ値が記憶部１０ｂに格納された、４つの映像信号１〜４のうち任意の一の映像信号を特定するための対応する３つのパラメータ値と一致するとき、該入力信号のフォーマットは、該一の映像信号のフォーマットであると判定される。
【００４０】
出力部１０ｅは、第２の判定部１０ｄから該第２の判定部１０ｄでの判定結果及び入力信号を受信すると、該入力信号を該判定結果に応じた所定フォーマット（映像信号１〜４のいずれかのフォーマット）で画像処理部３２に出力する。
【００４１】
画像処理部３２は、出力部１０ｅからの上記所定フォーマットの入力信号に基づいて、変調信号を生成する。
【００４２】
次に、信号判定装置１０における制御を、図１６を参照して説明する。図１６のフローチャートは、信号判定装置１０が有する不図示のＣＰＵの処理アルゴリズムに基づいている。なお、ここでの制御に先立って、記憶部１０ｂに、テーブルＡ及びＢが格納されている。すなわち、図１６におけるステップＳ１の前に、記憶部１０ｂにテーブルＡ及びＢを格納する工程（ステップ）が行われる。
【００４３】
最初のステップＳ１では、上記ＣＰＵによって、入力信号があるか否か、すなわち映像データ出力機器Ｒから出力された映像信号が入力部１０ａを介して入力されたか否かが判断される。ステップＳ１での判断が否定されると、同じ判断が繰り返される。一方、ステップＳ１での判断が肯定されると、ステップＳ３に移行する。
【００４４】
ステップＳ３では、上記ＣＰＵは、記憶部１０ｂに格納されたテーブルＡを参照して、入力信号のパラメータ値（ａ、ｂ）が、テーブルＡのパラメータ（ａ１、ｂ１）又は（ａ２、ｂ２）に一致するか否かを判断する。すなわち、ａ＝ａ１かつｂ＝ｂ１、又はａ＝ａ２かつｂ＝ｂ２であるか否かが判断される。ステップＳ３での判断が否定されると、ステップＳ５に移行する。一方、ステップＳ３での判断が肯定されると、ステップＳ７に移行する。
【００４５】
ステップＳ５では、上記ＣＰＵによって、入力信号がデフォルト（初期設定）のフォーマットで出力される。この場合、入力信号の複数のパラメータ値とデフォルトのフォーマットの対応する複数のパラメータ値とが一致しないときは、前述したように投影画像に異常が発生するため、例えばユーザがプロジェクタ１の操作部（不図示）を介して投影画像を手動で調整することが望ましい。ステップＳ５が実行されると、フローは終了する。
【００４６】
ステップＳ７では、第１の判定部１０ｃによって、入力信号のフォーマットは、パラメータ値（ａ１、ｂ１）又は（ａ２、ｂ２）によって特定される２つの映像信号（映像信号１及び２、又は映像信号３及び４）のフォーマットに含まれると判定される。
【００４７】
次のステップＳ９では、上記ＣＰＵは、記憶部１０ｂに格納されたテーブルＢを参照し、入力信号のパラメータ値ｃと、テーブルＢのパラメータ値ｃ１又はｃ２とが一致しているか否かを判断する。ステップＳ９での判断が否定されると、ステップＳ５に移行する。ステップＳ９での判断が肯定されると、ステップＳ１１に移行する。
【００４８】
ステップＳ１１では、第２の判定部１０ｄによって、入力信号のフォーマットは、パラメータ値（ａ１、ｂ１）又は（ａ２、ｂ２）、並びにパラメータ値ｃ１又はｃ２によって特定される一の映像信号のフォーマットであると判定される。すなわち、ステップＳ７での判定結果及びステップＳ９での判断結果に基づいて、入力信号は、映像信号１〜４のいずれに一致するかが判定される。
【００４９】
次のステップＳ１３では、出力部１０ｅによって、入力信号が、上記一の映像信号（映像信号１〜４のいずれか）のフォーマットで出力される。ステップＳ１３が実行されると、フローは終了する。
【００５０】
以上説明した第１の実施形態の信号判定装置１０は、複数（例えば４つ）の映像信号それぞれのフォーマットを特定するための、少なくとも３つ（例えば３つ）のパラメータ（例えば垂直解像度、垂直同期周波数、水平解像度）の数値（パラメータ値）が格納された記憶部１０ｂと、入力された映像信号（入力信号）の少なくとも３つのパラメータの数値と、記憶部１０ｂに格納された前記少なくとも３つのパラメータの数値とに基づいて、入力信号のフォーマットを判定する判定手段と、を備えている。
【００５１】
この場合、２つのパラメータの数値が共通する複数の映像信号のフォーマットを区別して判定することができる。
【００５２】
すなわち、信号判定装置１０によると、入力された映像信号のフォーマットを誤判定することを防止できる。
【００５３】
また、前記判定手段は、入力された映像信号の前記少なくとも３つ（例えば３つ）のパラメータのうち少なくとも２つ（例えば２つ）のパラメータ（例えば垂直解像度及び垂直同期周波数）の数値と、記憶部１０ｂに格納された、前記複数の映像信号のうち少なくとも２つの映像信号に共通する、対応する少なくとも２つ（例えば２つ）のパラメータ（例えば垂直解像度及び垂直同期周波数）の数値とが一致するとき、入力された映像信号のフォーマットは、前記少なくとも２つの映像信号のフォーマットに含まれていると判定する第１の判定部１０ｃと、入力された映像信号の前記少なくとも３つのパラメータのうち少なくとも１つの別のパラメータ（例えば水平解像度）の数値と、記憶部１０ｂに格納された対応する少なくとも１つの別のパラメータ（例えば水平解像度）の数値とに基づいて、入力された映像信号のフォーマットが前記少なくとも２つの映像信号のいずれのフォーマットであるかを判定する第２の判定部１０ｄと、を有している。
【００５４】
この場合、第１及び第２の判定部１０ｃ、１０ｄにより、入力された映像信号のフォーマットの判定が２段階で行われるため、各判定部での制御を簡素化でき、かつ該判定部での負荷を低減できる。
【００５５】
また、第１の判定部１０ｃとして、従来の信号判定用の比較的安価なＩＣチップを用いることができ、低コスト化を図ることができる。
【００５６】
また、第２の判定部１０ｄとして、従来の信号判定用の比較的安価なＩＣチップを改良したものを用いることができ、低コスト化を図ることができる。
【００５７】
また、プロジェクタ１は、映像データ出力機器Ｒからの映像信号が入力される信号判定装置１０と、該信号判定装置１０でフォーマットが判定された映像信号に基づいて変調された光をスクリーン２の表面（被投射面）に投射する光学エンジン部３０（投射部）と、を備えている。
【００５８】
この場合、信号判定装置１０において映像信号のフォーマットが正確に（精度良く）判定されるため、映像データ出力機器Ｒからの映像データに基づく映像をスクリーン２に正確に投影することができる。
【００５９】
なお、上記第１の実施形態において、ステップＳ３での判断を第１の判定部１０ｃで行っても良い。また、ステップＳ９での判断を第２の判定部１０ｄで行っても良い。
【００６０】
また、上記第１の実施形態において、入力部１０ａを設けずに、第１の判定部が入力部１０ａの機能をも有していても良い。また、出力部１０ｅを設けずに、第２の判定部が出力部１０ｅの機能をも有していても良い。
【００６１】
以下に、他の実施形態について説明する。他の実施形態では、上記第１実施形態と異なる点を主に説明し、上記第１の実施形態と同様の構成部には、同様の符号を付して、その説明を省略する。
【００６２】
《第２の実施形態》
第２の実施形態では、図１７及び図１８から分かるように、信号判定装置の構成及び制御が上記第１の実施形態と異なる。
第２の信号判定装置１００は、図１７に示されるように、入力部１０ａ、記憶部１０ｂ、推定部１００ｃ、判断部１００ｄ、判定部１００ｅ、出力部１０ｅなどを含む。
【００６３】
推定部１００ｃは、入力部１０ａからの映像信号（入力信号）のパラメータ値（ａ、ｂ）が、テーブルＡに含まれるパラメータ値（ａ１、ｂ１）又は（ａ２、ｂ２）に一致するとき、該入力信号のフォーマットは、パラメータ値（ａ１、ｂ１）によって特定される一の映像信号（映像信号１又は２）のフォーマット、又はパラメータ値（ａ２、ｂ２）によって特定される他の映像信号（映像信号３又は４）のフォーマットであると推定し、その推定結果（一の映像信号又は他の映像信号）及び入力信号を判断部１００ｄに送る。なお、推定部１００ｃでは、パラメータ値が共通する２つの映像信号（映像信号１及び２、又は映像信号３及び４）から一方の映像信号のフォーマットを選択する（例えば番号の小さい方又は大きい方の映像信号のフォーマットを自動的に選択する）。推定部１００ｃとしては、従来の信号判定用のＩＣチップを用いることもできる。
【００６４】
判断部１００ｄは、記憶部１０ｂに格納されたテーブルＢを参照して、推定部１００ｃでの推定結果が正しいか否かを判断し、その判断結果及び入力信号を判定部１００ｅに送る。具体的には、判断部１００ｄは、入力信号のパラメータ値ｃがテーブルＢに含まれるパラメータ値ｃ１又はｃ２に一致するとき、すなわち入力信号のフォーマットが映像信号１及び３のフォーマット、又は映像信号２及び４のフォーマットに含まれるとき、推定部１００ｃでの推定結果の正誤を判断する。
【００６５】
詳述すると、上記推定結果が映像信号１又は３であり、かつ入力信号のパラメータ値ｃがパラメータ値ｃ１に一致するとき、該推定結果が正しいと判断される。また、上記推定結果が映像信号１又は３であり、かつ入力信号のパラメータ値ｃがパラメータ値ｃ２に一致するとき、該推定結果が誤りであると判断される。また、上記推定結果が映像信号２又は４であり、かつ入力信号のパラメータ値ｃがパラメータ値ｃ１に一致するとき、該推定結果が誤りであると判断される。また、上記推定結果が映像信号２又は４であり、かつ入力信号のパラメータ値ｃがパラメータ値ｃ２に一致するとき、該推定結果が正しいと判断される。
【００６６】
判定部１００ｅは、判断部１００ｄから該判断部１００ｄでの判断結果及び入力信号を受信すると、入力信号のフォーマットは、パラメータ値（ａ１、ｂ１）又は（ａ２、ｂ２）、並びにパラメータ値ｃ１又はｃ２によって特定される一の映像信号（映像信号１〜４のいずれか）であると判定し、その判定結果及び入力信号を出力部１０ｅに送る。
【００６７】
結果として、推定部１００ｃ、判断部１００ｄ及び判定部１００ｅを含んで構成される判定手段によって、入力信号の３つのパラメータの数値と、記憶部１０ｂに格納された３つのパラメータの数値とに基づいて、該入力信号のフォーマットが判定される。より詳細には、該判定手段によって、入力信号の３つのパラメータ値が記憶部１０ｂに格納された、４つの映像信号１〜４のうち任意の一の映像信号を特定するための対応する３つのパラメータ値と一致するとき、該入力信号のフォーマットは、該一の映像信号のフォーマットであると判定される。
【００６８】
次に、信号判定装置１００で行われる制御を、図１８を参照して説明する。図１８のフローチャートは、信号判定装置１００が有する不図示のＣＰＵの処理アルゴリズムに基づいている。なお、ここでの制御に先立って、記憶部１０ｂに、テーブルＡ及びＢが格納されている。
【００６９】
最初のステップＳ２１では、上記ＣＰＵによって、入力信号があるか否かが判断される。ステップＳ２１での判断が否定されると、同じ判断が繰り返される。ステップＳ２１での判断が肯定されると、ステップＳ２３に移行する。
【００７０】
ステップＳ２３では、上記ＣＰＵによって、入力信号のパラメータ値（ａ、ｂ）と、テーブルＡに含まれるパラメータ値（ａ１、ｂ１）又は（ａ２、ｂ２）とが一致するか否かが判断される。ステップＳ２３での判断が否定されると、ステップＳ２５に移行する。一方、ステップＳ２３での判断が肯定されると、ステップＳ２７に移行する。
【００７１】
ステップＳ２５は、上記ＣＰＵによって、入力信号が、デフォルト（初期設定）のフォーマットで出力される。ステップＳ２５が実行されると、フローは終了する。
【００７２】
ステップＳ２７では、推定部１００ｃによって、入力信号のフォーマットが、パラメータ値（ａ１、ｂ１）又は（ａ２、ｂ２）によって特定される一の映像信号（映像信号１〜４のいずれか）のフォーマットであると推定される。
【００７３】
ステップＳ２９では、判断部１００ｄは、入力信号のパラメータ値ｃと、テーブルＢに含まれるパラメータ値ｃ１及びｃ２とを比較して、推定部１００ｃでの推定結果が正しいか否かを判断する。ここでは、パラメータ値ｃは、パラメータ値ｃ１及びｃ２の一方に一致するものとする。そこで、推定部１００ｃでの推定結果（上記一の映像信号のフォーマット）を特定するための、パラメータ値ｃに対応するパラメータ値がパラメータ値ｃ１及びｃ２の一方に一致する場合、ステップＳ２９での判断は、肯定される。また、推定部１００ｃでの推定結果（上記一の映像信号のフォーマット）を特定するための、パラメータ値ｃに対応するパラメータ値がパラメータ値ｃ１及びｃ２の他方に一致する場合、ステップＳ２９での判断は、否定される。ステップＳ２９での判断が否定されると、ステップＳ３５に移行する。一方、ステップＳ２９での判断が肯定されると、ステップＳ３１に移行する。
【００７４】
ステップＳ３１では、判定部１００ｅによって、入力信号のフォーマットは、パラメータ値（ａ１、ｂ１）又は（ａ２、ｂ２）、並びにパラメータ値ｃ１及びｃ２の一方によって特定される一の映像信号（映像信号１〜４のいずれか）のフォーマットであると判定される。
【００７５】
次のステップＳ３３では、出力部１０ｅによって、入力信号が、上記一の映像信号のフォーマットで画像処理部３２に出力される。
【００７６】
ステップＳ３５では、判定部１００ｅによって、入力信号は、パラメータ値（ａ１、ｂ１）又は（ａ２、ｂ２）、並びにパラメータ値ｃ１及びｃ２の他方によって特定される他の映像信号（映像信号１〜４のいずれか）であると判定される。
【００７７】
次のステップＳ３７では、出力部１０ｅによって、入力信号が、上記他の映像信号のフォーマットで画像処理部３２に出力される。
【００７８】
以上説明した第２の実施形態の信号判定装置１００は、前記判定手段は、入力された映像信号の少なくとも３つのパラメータのうち少なくとも２つのパラメータ（例えば垂直解像度及び垂直同期周波数）の数値と、記憶部１０ｂに格納された、複数（例えば４つ）の映像信号のうち少なくとも２つ（例えば２つ）の映像信号に共通する、対応する少なくとも２つ（例えば２つ）のパラメータ（例えば垂直解像度及び垂直同期周波数）の数値とが一致するとき、入力された映像信号のフォーマットは、前記少なくとも２つの映像信号のうち一の映像信号のフォーマットであると推定する推定部１００ｃと、入力された映像信号の少なくとも３つのパラメータのうち少なくとも１つの別のパラメータ（例えば水平解像度）の数値と、記憶部１０ｂに格納された、前記一の映像信号を特定するための、対応する少なくとも１つの別のパラメータ（例えば水平解像度）の数値とが一致するとき、入力された映像信号のフォーマットは、前記一の映像信号のフォーマットであると判定する判定部１００ｅと、を有している。
【００７９】
また、判定部１００ｅは、入力された映像信号の少なくとも３つのパラメータのうち少なくとも１つの別のパラメータ（例えば水平解像度）の数値と、記憶部１０ｂに格納された、前記少なくとも２つの映像信号のうち他の映像信号を特定するための、対応する少なくとも１つの別のパラメータ（例えば水平解像度）の数値とが一致するとき、入力された映像信号のフォーマットは、前記他の映像信号のフォーマットであると判定する。
【００８０】
第２の実施形態の信号判定装置１００によると、上記第１の実施形態と同様の効果が得られるとともに、推定部１００ｃでの推定結果、すなわち１つの映像信号（一の映像信号又は他の映像信号）が判断部１００ｄに送られるため、該判断部に１００ｄに送るデータ量を少なくすることができ、判断部１００ｄでの負荷を低減できる。
【００８１】
なお、上記第２の実施形態において、ステップＳ２３での判断を推定部１００ｃで行っても良い。また、ステップＳ２９での判断を上記ＣＰＵ又は判定部１００ｅで行っても良い。この場合、判断部１００ｄは、不要である。
【００８２】
また、上記第２の実施形態において、入力部１０ａを設けずに、推定部が入力部１０ａの機能をも有していても良い。また、出力部１０ｅを設けずに、判定部が出力部１０ｅの機能をも有していても良い。
【００８３】
《第３の実施形態》
第３の実施形態では、図１９及び図２０から分かるように、信号判定装置の構成及び制御が上記第１及び第２の各実施形態と異なる。
【００８４】
第３の実施形態の信号判定装置２００は、図１９に示されるように、入力部１０ａ、記憶部２００ｂ、判定部２００ｃ、出力部１０ｅを有している。
【００８５】
記憶部２００ｂには、映像信号１のパラメータ値（ａ１、ｂ１、ｃ１）、映像信号２のパラメータ値（ａ１、ｂ１、ｃ２）、映像信号３のパラメータ値（ａ２、ｂ２、ｃ１）、映像信号４のパラメータ値（ａ２、ｂ２、ｃ２）を含むテーブルＣが格納されている。
【００８６】
記憶部２００ｂとしては、データ消去及びデータの書き換えが可能なメモリやディスク（記憶媒体）を用いても良いし、読取り専用のメモリやディスク（記憶媒体）を用いても良い。
【００８７】
判定部２００ｃは、入力部１０ａから入力信号を受信すると、該入力信号のパラメータ値（ａ、ｂ、ｃ）が、記憶部２００ｂに格納されているテーブルＣに含まれるパラメータ値（ａ１、ｂ１、ｃ１）、（ａ１、ｂ１、ｃ２）、（ａ２、ｂ２、ｃ１）、（ａ２、ｂ２、ｃ２）のいずれかと一致するとき、該入力信号のフォーマットは、パラメータ値（ａ１、ｂ１、ｃ１）、（ａ１、ｂ１、ｃ２）、（ａ２、ｂ２、ｃ１）、（ａ２、ｂ２、ｃ２）のうちパラメータ値（ａ、ｂ、ｃ）に一致するものによって特定される一の映像信号（映像信号１〜４のいずれか）フォーマットであると判定する。なお、パラメータ値（ｘ、ｙ、ｚ）がパラメータ値（ｘＮ、ｙＮ、ｚＮ）と一致するとは、ｘ＝ｘＮ、かつｙ＝ｙＮ、かつｚ＝ｚＮであることを意味する。
【００８８】
結果として、判定部２００ｃによって、入力信号の３つのパラメータの数値と、記憶部１０ｂに格納された３つのパラメータの数値とに基づいて、該入力信号のフォーマットが判定される。より詳細には、判定部２００ｃによって、入力信号の３つのパラメータ値が記憶部１０ｂに格納された、４つの映像信号１〜４のうち任意の一の映像信号を特定するための対応する３つのパラメータ値と一致するとき、該入力信号のフォーマットは、該一の映像信号のフォーマットであると判定される。
【００８９】
次に、信号判定装置２００で行われる制御を、図２０を参照して説明する。図２０のフローチャートは、信号判定装置２００が有する不図示のＣＰＵの処理アルゴリズムに基づいている。なお、ここでの制御に先立って、記憶部２００ｂに、テーブルＣが格納されている。
【００９０】
最初のステップＳ４１では、上記ＣＰＵによって、入力信号があるか否かが判断される。ステップＳ４１での判断が否定されると、同じ判断が繰り返される。ステップＳ４１での判断が肯定されると、ステップＳ４３に移行する。
【００９１】
ステップＳ４３では、上記ＣＰＵによって、入力信号のパラメータ値（ａ、ｂ、ｃ）が、テーブルＣに含まれるパラメータ値（ａ１、ｂ１、ｃ１）、（ａ１、ｂ１、ｃ２）、（ａ２、ｂ２、ｃ１）、（ａ２、ｂ２、ｃ２）のいずれかに一致するか否かが判断される。ステップＳ４３での判断が否定されると、ステップＳ４５に移行する。一方、ステップＳ４３での判断が肯定されると、ステップＳ４７に移行する。
【００９２】
ステップＳ４５では、入力信号が、デフォルト（初期設定）のフォーマットで出力される。
【００９３】
ステップＳ４７では、判定部２００ｃによって、入力信号のフォーマットは、パラメータ値（ａ１、ｂ１、ｃ１）、（ａ１、ｂ１、ｃ２）、（ａ２、ｂ２、ｃ１）、（ａ２、ｂ２、ｃ２）のうちパラメータ値（ａ、ｂ、ｃ）に一致するものによって特定される一の映像信号（映像信号１〜４のいずれか）のフォーマットであると判定される。
【００９４】
ステップＳ４９では、出力部１０ｅによって、入力信号が、該一の映像信号のフォーマットで画像処理部３２に出力される。
【００９５】
以上説明した第３の実施形態の信号判定装置２００によると、上記第１及び第２の各実施形態の信号判定装置と同様の効果を得ることができるとともに、構成を極力簡易化できる。
【００９６】
なお、上記第３の実施形態において、入力部１０ａを設けずに、判定部２００ｃが入力部１０ａの機能をも有していても良い。また、出力部１０ｅを設けずに、判定部２００ｃが出力部１０ｅの機能をも有していても良い。
【００９７】
以上説明した第１〜第３の各実施形態の信号判定装置は、記憶部に格納された、複数の映像信号それぞれのフォーマットを特定するための、少なくとも３つのパラメータの数値と、入力信号の対応する少なくとも３つのパラメータの数値とに基づいて、該入力信号のフォーマットを正確に判定することができる。
【００９８】
そこで、記憶部に現に格納されていない、映像信号のフォーマットを特定するための、少なくとも３つのパラメータの数値を、適宜、記憶部に格納することで、より多くの映像信号のフォーマットを正確に判定することができる。また、本発明の信号判定装置では、少なくとも２つの入力信号の映像フォーマットを正確に判定できれば良い。
【００９９】
すなわち、上記第１〜第３の各実施形態において、記憶部に格納される映像信号の数は、４つに限らず、要は、複数であれば良い。
【０１００】
また、上記第１〜第３の各実施形態において、記憶部に格納される各映像信号のパラメータの種類は、３つに限らず、要は、３つ以上であれば良い。また、記憶部には、水平解像度、垂直解像度、垂直同期周波数、水平同期周波数、クロック周波数、垂直ライン数、水平画素数、信号生成時間のうち、少なくとも３つ（３種類）のパラメータの数値が格納されていることが好ましい。
【０１０１】
また、上記第１〜第３の各実施形態において、記憶部に格納される各パラメータ値は、２つに限らず、要は、１つ以上であれば良い。
【０１０２】
上記第１〜第３の各実施形態では、パラメータ値ａが垂直解像度の数値とされ、パラメータ値ｂが垂直同期周波数の数値とされ、パラメータ値ｃが水平解像度の数値とされているが、これに限られない。
【０１０３】
要は、複数の映像信号それぞれのフォーマットを特定するための、少なくとも２つのパラメータ値がテーブルＡに含まれ、該複数の映像信号それぞれのフォーマットを特定するための少なくとも１つのパラメータ値がテーブルＢに含まれていることが好ましい。また、複数の映像信号それぞれのフォーマットを特定するための、少なくとも１つのパラメータ値がテーブルＡに含まれ、該複数の映像信号それぞれのフォーマットを特定するための少なくとも２つのパラメータ値がテーブルＢに含まれていても良い。また、複数の映像信号それぞれのフォーマットを特定するための、少なくとも３つのパラメータ値がテーブルＣに含まれていることが好ましい。
【０１０４】
例えば、パラメータ値ａは、垂直解像度の数値に代えて、水平解像度、垂直同期周波数、水平同期周波数、クロック周波数（単位時間に生成される画素単位の信号の数）、垂直ライン数、水平画素数、信号生成時間のいずれかの数値であっても良い。
【０１０５】
例えば、パラメータ値ｂは、垂直同期周波数の数値に代えて、垂直解像度、水平解像度、水平同期周波数、クロック周波数（単位時間に生成される画素単位の信号の数）、垂直ライン数、水平画素数、信号生成時間のいずれかの数値であっても良い。
【０１０６】
例えば、パラメータ値ｃは、水平解像度の数値に代えて、垂直同期周波数、水平同期周波数、クロック周波数（単位時間に生成される画素単位の信号の数）、垂直ライン数、水平画素数、信号生成時間のいずれかの数値であっても良い。
【０１０７】
具体的には、水平解像度の数値及び垂直解像度の数値がテーブルＡに含まれ、かつ垂直同期周波数、水平同期周波数、クロック周波数（単位時間に生成される画素単位の信号の数）、垂直ライン数、水平画素数、信号生成時間のいずれかの数値がテーブルＢに含まれていても良い。
【０１０８】
一例として、ＶＧＡ  Ｇｒａｐｈｉｃ  ３５０Ｌｉｎｅｓ＠７０Ｈｚの映像信号η及びＶＥＳＡ  ６４０×３５０＠８５Ｈｚの映像信号εに共通する水平解像度の数値６４０（ｐｐｉ）及び垂直解像度の数値３５０（ｐｐｉ）がテーブルＡに含まれ、かつ映像信号ηのフォーマットを特定するための、垂直同期周波数の数値７０．０７（Ｈｚ）、水平同期周波数の数値３１．４６（ｋＨｚ）、クロック周波数の数値２５．１７（ＭＨｚ）、水平画素数の数値８００（ｐｉｘｅｌｓ）、垂直ライン数の数値４４９（ｌｉｎｅｓ）の少なくとも１つ、及び映像信号εのフォーマットを特定するための、垂直同期周波数８５．０８（Ｈｚ）、水平同期周波数の数値３７．８６（ｋＨｚ）、クロック周波数の数値３１．５０ＭＨｚ、水平画素数の数値８３２、垂直ライン数の数値４４５の少なくとも１つがテーブルＢに含まれていても良い。
【０１０９】
また、例えば、上記第２の実施形態において、例えば６４０×３５０＠７０Ｈｚ及び７２０×３５０＠７０Ｈｚの２つの映像信号に共通する垂直解像度の数値（３５０ｐｐｉ）及び垂直同期周波数の数値（７０Ｈｚ）がテーブルＡに含まれ、かつ該２つの映像信号それぞれのクロック周波数の数値（例えば２５．１７３（ＭＨｚ）及び２５．１７７（ＭＨｚ））がテーブルＢに含まれているとする。この場合、仮に、推定部で、入力信号のフォーマットが、例えば６４０×３５０＠７０Ｈｚの映像信号のフォーマットであると推定されたとき、判断部では、該入力信号のクロック周波数の数値が、テーブルＢに含まれるクロック周波数の数値２５．１７３（ＭＨｚ）に一致するとき、推定部での推定結果が正しいと判断され、判定部では、該入力信号のフォーマットは、６４０×３５０＠７０Ｈｚの映像信号のフォーマットであると判定される。また、仮に、推定部で、入力信号のフォーマットが、例えば６４０×３５０＠７０Ｈｚの映像信号のフォーマットであると推定されたとき、判断部では、該入力信号のクロック周波数の数値がテーブルＢに含まれるクロック周波数の数値２５．１７７（ＭＨｚ）に一致するとき、推定部での推定結果が誤りであると判断され、判定部では、該入力信号のフォーマットは、７２０×３５０＠７０Ｈｚの映像信号のフォーマットであると判定される。また、仮に、推定部で、入力信号のフォーマットが、例えば７２０×３５０＠７０Ｈｚの映像信号のフォーマットであると推定されたとき、判断部では、該入力信号のクロック周波数の数値がテーブルＢに含まれるクロック周波数の数値２５．１７７（ＭＨｚ）に一致するとき、推定部での推定結果が正しいと判断され、該入力信号のフォーマットは、７２０×３５０＠７０Ｈｚの映像信号のフォーマットであると判定される。また、仮に、推定部で、入力信号のフォーマットが、例えば７２０×３５０＠７０Ｈｚの映像信号のフォーマットであると推定されたとき、判断部では、該入力信号のクロック周波数の数値がテーブルＢに含まれるクロック周波数の数値２５．１７３（ＭＨｚ）に一致するとき、推定部での推定結果が誤りであると判断され、該入力信号のフォーマットは、６５０×３５０＠７０Ｈｚの映像信号のフォーマットであると判定される。
【０１１０】
また、上記第１〜第３の各実施形態では、光投射装置として、プロジェクタ１が採用されたが、これに限らず、例えば車載用のヘッドアップディスプレイ等が採用されても良い。
【符号の説明】
【０１１１】
１…プロジェクタ（光投射装置）、１０…信号判定装置、１０ｂ…記憶部、１０ｃ…第１の判定部（判定手段の一部）、１０ｄ…第２の判定部（判定手段の一部）、１００ｃ…推定部（判定手段の一部）、１００ｅ…判定部（判定手段の一部）、２００ｂ…記憶部、２００ｃ…判定部（判定手段）。
【先行技術文献】
【特許文献】
【０１１２】
【特許文献１】特開２００９−１９２９８６号公報
【図１】
2015026912.tif 000003
【図２】
2015026912.tif 000004
【図３】
2015026912.tif 000005
【図４】
2015026912.tif 000006
【図５】
2015026912.tif 000007
【図６】
2015026912.tif 000008
【図７】
2015026912.tif 000009
【図８】
2015026912.tif 000010
【図１２】
2015026912.tif 000011
【図１５】
2015026912.tif 000012
【図１６】
2015026912.tif 000013
【図１７】
2015026912.tif 000014
【図１８】
2015026912.tif 000015
【図１９】
2015026912.tif 000016
【図２０】
2015026912.tif 000017
【図９】
2015026912.tif 000018
【図１０】
2015026912.tif 000019
【図１１】
2015026912.tif 000020
【図１３】
2015026912.tif 000021
【図１４】
2015026912.tif 000022